(57)【特許請求の範囲】
【請求項１】
外容器の中に第１及び第２内容器のみが配設され、前記外容器の側壁の上端の外側にポケットが付設され、前記第１内容器を開閉する第１内蓋、前記第２内容器を開閉する第２内蓋並びに前記外容器及びポケットを開閉する外蓋が設けられた容器であって、
第１ペダル、第１レバー、第１押上部材、第２ペダル、第２レバー及び第２押上部材が設けられ、
前記第１ペダルが前記第１レバーの一端に固定され、前記第１押上部材が前記第１レバーの他端に回動自在に連結され、
前記第２ペダルが前記第２レバーの一端に固定され、前記第２押上部材が前記第２レバーの他端に回動自在に連結され、
前記第１押上部材が第１内蓋用先端及び第１外蓋用先端を有し、
前記第１押上部材の上部は２つの部分に分岐され、前記第１内蓋用先端及び第１外蓋用先端が形成され、
前記第１内蓋用先端は前記第１押上部材の分岐していない部分から前記第２押上部材から離れる側に張り出し、前記第１外蓋用先端は前記第１押上部材の分岐していない部分から前記第２押上部材に近づく側に張り出し、
前記第２押上部材が第２内蓋用先端及び第２外蓋用先端を有し、
前記第２押上部材の上部は２つの部分に分岐され、前記第２内蓋用先端及び第２外蓋用先端が形成され、
前記第２内蓋用先端は前記第２押上部材の分岐していない部分から前記第１押上部材から離れる側に張り出し、前記第２外蓋用先端は前記第２押上部材の分岐していない部分から前記第１押上部材に近づく側に張り出し、
前記第１及び第２外蓋用先端は前記外蓋に連結されず、前記第１内蓋用先端は前記第１内蓋に連結されず、前記第２内蓋用先端は前記第２内蓋に連結されず、
前記第１内蓋が前記第１内蓋用先端の上昇により押されて開き、
前記第２内蓋が前記第２内蓋用先端の上昇により押されて開き、
前記外蓋が前記第１外蓋用先端若しくは第２外蓋用先端の上昇により押されて開き、
前記第１ペダルにより、前記外蓋と第１内蓋との二重蓋の開閉をすることができ、前記第２ペダルにより、前記外蓋と第２内蓋との二重蓋の開閉をすることができ、
前記外蓋のみを開閉するペダルが設けられていないことを特徴とする容器。
【請求項２】
前記第１内蓋用先端、第１外蓋用先端、第２外蓋用先端及び第２内蓋用先端が順次ほぼ一列に配置されていることを特徴とする請求項１記載の容器。
【発明の詳細な説明】
【０００１】
【発明の属する技術分野】
本発明は、容器に関し、特に外容器の中に第１及び第２内容器が配設され、該外容器を開閉する外蓋、該第１内容器を開閉する第１内蓋及び該第２内容器を開閉する第２内蓋を有する容器に関するものである。
【０００２】
【従来の技術】
従来からごみ箱として蓋付き容器が使用されている。実開平６−６７４０７号公報は、この蓋付き容器の従来例を開示している。
図１４はこの従来例を示している。図１４において、（ａ）は全体を示し、（ｂ）は（ａ）に示すもののＡ−Ａ断面構造を示し、（ｃ）は（ａ）に示すもののＢ−Ｂ断面構造を示す。
外容器９０内に第１内容器９１ａ及び第２内容器９１ｂが配置されている。なお、仕切枠９６が第１内容器９１ａと第２内容器９１ｂとの境界になるように外容器９０に固定されている。
第１蓋９２ａは第１内容器９１ａの上面開口部を開閉し、第２蓋９２ｂは第２内容器９１ｂの上面開口部を開閉するものである。
第１レバー９４ａ及び第２レバー９４ｂは外容器９０の台部９０ａに回動自在に取り付けられている。
第１ペダル９３ａは第１レバー９４ａの一端に取付られ、第１ロッド９５ａは第１レバー９４ａの他端に回動自在に連結されている。更に、第２ペダル９３ｂは第２レバー９４ｂの一端に取付られ、図示しない第２ロッド（第１ロッド９５ａに相当する）は第２レバー９４ｂの他端に回動自在に取付られている。
【０００３】
このため、第１ペダル９３ａを足で踏むと、第１レバー９４ａが回転して、第１ロッド９５ａが上昇するので、第１蓋９２ａが第１ロッド９５ａの先端により押されて開く。
同様に、第２ペダル９３ｂを足で踏むと、第２レバー９４ｂが回転して、前記第２ロッドが上昇するので、第２蓋９２ｂが前記第２ロッドの先端により押されて開く。
【０００４】
【発明が解決しようとする課題】
しかしながら、上述の従来例では、第１内容器９１ａ及び第２内容器９１ｂの第１蓋９２ａ及び第２蓋９２ｂが別個に開閉するのみで、外容器９０には蓋が付いていないので、全体として１つの容器というのではなく、２つの容器を結合させたという形態になるという欠点があった。
したがって、本願発明の課題は、上述の従来例の欠点をなくし、全体として１つの容器となり、外容器の中に２つの内容器が配設され、外容器を開閉する外蓋及び２つの内容器を開閉する２つの内蓋を有する容器を提供することである。
【０００５】
【課題を解決するための手段】
上記課題を解決するため、第１の発明の構成は、外容器の中に第１及び第２内容器のみが配設され、前記外容器の側壁の上端の外側にポケットが付設され、前記第１内容器を開閉する第１内蓋、前記第２内容器を開閉する第２内蓋並びに前記外容器及びポケットを開閉する外蓋が設けられた容器であって、第１ペダル、第１レバー、第１押上部材、第２ペダル、第２レバー及び第２押上部材が設けられ、前記第１ペダルが前記第１レバーの一端に固定され、前記第１押上部材が前記第１レバーの他端に回動自在に連結され、前記第２ペダルが前記第２レバーの一端に固定され、前記第２押上部材が前記第２レバーの他端に回動自在に連結され、前記第１押上部材が第１内蓋用先端及び第１外蓋用先端を有し、前記第１押上部材の上部は２つの部分に分岐され、前記第１内蓋用先端及び第１外蓋用先端が形成され、前記第１内蓋用先端は前記第１押上部材の分岐していない部分から前記第２押上部材から離れる側に張り出し、前記第１外蓋用先端は前記第１押上部材の分岐していない部分から前記第２押上部材に近づく側に張り出し、前記第２押上部材が第２内蓋用先端及び第２外蓋用先端を有し、前記第２押上部材の上部は２つの部分に分岐され、前記第２内蓋用先端及び第２外蓋用先端が形成され、前記第２内蓋用先端は前記第２押上部材の分岐していない部分から前記第１押上部材から離れる側に張り出し、前記第２外蓋用先端は前記第２押上部材の分岐していない部分から前記第１押上部材に近づく側に張り出し、前記第１及び第２外蓋用先端は前記外蓋に連結されず、前記第１内蓋用先端は前記第１内蓋に連結されず、前記第２内蓋用先端は前記第２内蓋に連結されず、前記第１内蓋が前  記第１内蓋用先端の上昇により押されて開き、前記第２内蓋が前記第２内蓋用先端の上昇により押されて開き、前記外蓋が前記第１外蓋用先端若しくは第２外蓋用先端の上昇により押されて開き、前記第１ペダルにより、前記外蓋と第１内蓋との二重蓋の開閉をすることができ、前記第２ペダルにより、前記外蓋と第２内蓋との二重蓋の開閉をすることができ、前記外蓋のみを開閉するペダルが設けられていないことを特徴とする容器である。
【０００８】
上記第１の発明の構成により、第１ペダルを足で踏むと、第１レバーが回転し、第１押上部材が上昇し、外蓋が第１押上部材の第１外蓋用先端により押されて開き、第１内蓋が第１押上部材の第１内蓋用先端に押されて開く。なお、第１ペダルを踏むことを止めると、第１レバーが前回と逆方向に回転し、第１押上部材が下降し、外蓋及び第１内蓋は自身の重量により下降して閉まる。
一方、第２ペダルを足で踏むと、第２レバーが回転し、第２押上部材が上昇し、外蓋が第２押上部材の第２外蓋用先端により押されて開き、第２内蓋が第２押上部材の第２内蓋用先端に押されて開く。なお、第２ペダルを踏むことを止めると、第２レバーが前回と逆方向に回転し、第２押上部材が下降し、外蓋及び第２内蓋は自身の重量により下降して閉まる。
【０００９】
更に、第２の発明の構成は、上記第１の発明の構成において、第１内蓋用先端、第１外蓋用先端、第２外蓋用先端及び第２内蓋用先端が順次ほぼ一列に配置されていることである。
【００１０】
上記第２の発明の構成により、上記第１の発明の構成による作用とともに、第１外蓋用先端及び第２外蓋用先端が外蓋の開閉方向に垂直な方向の幅のほぼ中央部分に対応する位置に配置されることができる。このため、第１外蓋用先端又は第２外蓋用先端により外蓋を円滑に押して開くことができる。
更に、第１内蓋用先端が第１内蓋の開閉方向に垂直な方向の幅のほぼ中央部分に対応する位置に配置されることができるので、第１内蓋用先端により第１内蓋を円滑に押して開くことができる。
更に、第２内蓋用先端が第２内蓋の開閉方向に垂直な方向の幅のほぼ中央部分に対応する位置に配置されることができるので、第２内蓋用先端により第２内蓋を円滑に押して開くことができる。
【００１１】
【発明の実施の形態】
次に、本願発明の実施の形態を図面を参照して説明する。図１〜図９は該実施の形態の容器を示している。なお、図１は正面を示し、図２は右側面を示し、図３は背面を示し、図４は平面を示し、図５は底面を示し、図６は図１のＡ−Ａ断面構造を示し、図７は図１のＢ−Ｂ断面構造を示し、図８は図２のＣ−Ｃ断面構造を示し、図９は前記実施の形態の容器の一部分を取り外した状態の平面を示している。更に、図１０は前記容器において、蓋を開いた状態を示し、図１１は前記容器の押上部材を示し、図１２は前記容器のペダルを示している。なお、図１１において、（ａ）は押上部材の正面を示し、（ｂ）は（ａ）に示すものの左側面を示し、（ｃ）は（ａ）に示すものの右側面を示す。
【００１２】
図１〜図９において、外容器１０の内部に第１内容器２０及び第２内容器３０が収容されている。
外容器１０は、側壁１１及び底１２を有し、上面開口部１３が形成されている。更に、張出部１７が側壁１１の上端部の外側に付設されている。なお、開口部１７ａ〜１７ｂが張出部１７にほぼ一列に形成されている。複数のリブ１８が、張出部１７の下面を側壁１１との間を結合するように形成され、張出部１７を支えている。更に、側壁１１の凹部１１ａ、１１ｂが、第１内容器２０の配設位置と第２内容器３０の配設位置との仕切として形成されている。
第１ブラケット１５及び第２ブラケット１６が、外容器１０の台部１４に形成されている。
【００１３】
第１内容器２０は、側壁２１及び底２２を有し、上面開口部２３が形成され、把手２４が上面開口部２３に軸２４ａを回転中心として回動自在に付設されている。なお、軸２４ａは把手２４と一体に形成され、側壁２１の内側の凹部を軸受としている。第２内容器３０は、側壁３１及び底３２を有し、上面開口部３３が形成され、把手３４が上面開口部３３に軸３４ａを回転中心として回動自在に付設されている。なお、軸３４ａは把手３４と一体に形成され、側壁３１の内側の凹部を軸受としている。
外蓋４０は、外容器１０の上面開口部１３及び後述するポケット６０の上面開口部６３を開閉する蓋であり、軸４２により張出部１７に回動自在に取付けられている。受部４１及び該受部４１と対をなす図示しない受部が外蓋４０の下面に形成されている。
第１内蓋５０は、第１内容器２０の上面開口部２３を開閉する蓋であり、軸５２により張出部１７に回動自在に取付けられている。受部５１が第１内蓋５０の下面に形成されている。更に、第２内蓋５５は、第２内容器３０の上面開口部３３を開閉する蓋であり、軸５７により張出部１７に回動自在に取付けられている。図示しない受部（受部５１に相当する）が第２内蓋５５の下面に形成されている。
【００１４】
ポケット６０は、側壁１１の上端の外側に付設され、上面開口部６３が形成されている。仕切板６１が外容器１０とポケット６０とを仕切るように配設れている。リブ６２は側壁１１と一体に形成され、仕切板６１を支えている。
第１ペダル７０は、第１レバー７１の一端７１ａに固定され、第１押上部材８０の基部８１は、ピン７３により第１レバー７０の他端７１ｂに回動自在に連結されている。また、第１レバー７１は、軸７２により第１ブラケット１４に回動自在に取付けられている。なお、第１ペダル７０、第１レバー７１、軸７２及びピン７３は、合成樹脂により一体に成形されている。
第１押上部材８０の上部は、２つの部分に分岐され、第１内蓋用先端８２及び第１外蓋用先端８３が形成されている。内蓋用先端８２は開口部１７ａに挿着され、外蓋用先端８３は開口部１７ｂに挿着されている。
【００１５】
第２ペダル７５は、第２レバー７６の一端７６ａに固定され、第２押上部材８５の基部８６は、ピン７８により第２レバー７６の他端７６ｂに回動自在に連結されている。また、第２レバー７６は、軸７７により第２ブラケット１６に回動自在に取付けられている。なお、第２ペダル７５、第２レバー７６、軸７７及びピン７８は、合成樹脂により一体に成形されている。
第２押上部材８５の上部は、２つの部分に分岐され、第２内蓋用先端８７及び第２外蓋用先端８８が形成されている。外蓋用先端８８は開口部１７ｃに挿着され、内蓋用先端８７は開口部１７ｄに挿着されている。
なお、上述の実施の形態に係わる容器の材質は、ＡＢＳ、ポリプロピレン等の合成樹脂である。
更に、図１３は袋及び袋押さえ部材を使用した場合を示す。なお、図１３において、（ａ）は平面を示し、（ｂ）は（ａ）に示すもののＤ−Ｄ断面構造を示す。図１３に示すように、各内容器２０、３０は、上述のものに限定されず、ナイロン製ごみ袋等の袋２６を袋押さえリング等の袋押さえ部材２５で押さえたものでもよい。
【００１６】
以上の構成により、足で第１ペダル７０を踏むと、第１レバー７１が軸７２を回転中心として回転し、第１押上部材８０が上昇する。このため、外蓋４０の受部４１が第１押上部材８０の第１外蓋用先端８３により押上られるので、外蓋４０が軸４２を回転中心として回転して開き、第１内蓋５０の受部５１が第１押上部材８０の第１内蓋用先端８２により押上られるので、第１内蓋５０が軸５２を回転中心として回転して開く。
なお、第１ペダル７０を踏むことを止めると、第１レバー７１が前回を逆方向に回転し、第１押上部材８０が下降し、外蓋４０及び第１内蓋５０は自身の重量により下降して閉まる。
一方、足で第２ペダル７５を踏むと、第２レバー７６が軸７７を回転中心として回転し、第２押上部材８５が上昇する。このため、外蓋４０の受部４１と対となる図示しない受部が第２押上部材８５の外蓋用先端８８により押上られるので、外蓋４０が軸４２を回転中心として回転して開き、第２内蓋５５の前記図示しない受部が第２押上部材８５の内蓋用先端８７により押上られるので、第２内蓋５５が軸５７を回転中心として回転して開く。
なお、第２ペダル７５を踏むことを止めると、第２レバー７６が前回と逆方向に回転し、第２押上部材８５が下降し、外蓋４０及び第２内蓋５５は自身の重量により下降して閉まる。
【００１７】
更に、内蓋用先端８２、外蓋用先端８３、外蓋用先端８８及び内蓋用先端８７がほぼ一列に並んで配置されているので、第１外蓋用先端８３及び第２外蓋用先端８８が外蓋４０の開閉方向に垂直な方向の幅のほぼ中央部分に対応する位置に配置されることができる。このため、第１外蓋用先端８３又は第２外蓋用先端８８により外蓋４０を円滑に押し上げて開くことができる。
更に、第１内蓋用先端８２が第１内蓋５０の開閉方向に垂直な方向の幅のほぼ中央部分に対応する位置に配置されることができるので、第１内蓋用先端８７により第１内蓋５０を円滑に押し上げて開くことができる。
更に、第２内蓋用先端８７が第２内蓋５５の開閉方向に垂直な方向の幅のほぼ中央部分に対応する位置に配置されることができるので、第２内蓋用先端８７により第２内蓋５５を円滑に押し上げて開くことができる。
また、上述の実施の形態において、容器は合成樹脂で形成されているが、これに限定されず、必要に応じて金属材料等も上記容器に使用可能である。
【００１８】
【発明の効果】
本願の第１の発明によれば、外容器の中に第１及び第２内容器のみが配設され、前記外容器の側壁の上端の外側にポケットが付設され、前記第１内容器を開閉する第１内蓋、前記第２内容器を開閉する第２内蓋並びに前記外容器及びポケットを開閉する外蓋が設けられた容器において、第１又は第２ペダルを足で踏むことにより、外蓋と第１又は第２内蓋との二重蓋の開閉をすることができる。
更に、第２の発明によれば、上記第１の発明に係わる発明の効果とともに、外蓋、第１内蓋及び第２内蓋を円滑に開くことができる。
【図面の簡単な説明】
【図１】本願発明の実施の形態の正面図である。
【図２】前記実施の形態の右側面図である。
【図３】前記実施の形態の背面図である。
【図４】前記実施の形態の平面図である。
【図５】前記実施の形態の底面図である。
【図６】図１のＡ−Ａ断面図である。
【図７】図１のＢ−Ｂ断面図である。
【図８】図２のＣ−Ｃ断面図である。
【図９】前記実施の形態にて外蓋及び第１内蓋を取り外した状態の平面図である。
【図１０】前記実施の形態にて外蓋及び第１内蓋を開いた状態の斜視図である。
【図１１】前記実施の形態の容器の押上部材を示す。
【図１２】前記実施の形態の容器のペダル及びレバーを示す。
【図１３】前記実施の形態の容器の袋押さえ部材を示す。
【図１４】従来例の説明図である。
【符号の説明】
１０  外容器
２０  第１内容器
２５  袋押さえ部材
２６  袋
３０  第２内容器
４０  外蓋
５０  第１内蓋
５５  第２内蓋
７０  第１ペダル
７１  第１レバー
７５  第２ペダル
７６  第２レバー
８０  第１押上部材
８２  第１内蓋用先端
８３  第１外蓋用先端
８５  第２押上部材
８７  第２内蓋用先端
８８  第２外蓋用先端
【図１】
0003795118.tif 000002
【図２】
0003795118.tif 000003
【図３】
0003795118.tif 000004
【図４】
0003795118.tif 000005
【図５】
0003795118.tif 000006
【図６】
0003795118.tif 000007
【図７】
0003795118.tif 000008
【図８】
0003795118.tif 000009
【図９】
0003795118.tif 000010
【図１０】
0003795118.tif 000011
【図１１】
0003795118.tif 000012
【図１２】
0003795118.tif 000013
【図１３】
0003795118.tif 000014
【図１４】
0003795118.tif 000015